(57)【要約】【課題】ナットの締め付けに掛かる力を小さくすることができ、バッテリーポストの締め付け作業を簡単にできるバッテリーターミナルを提供する。【解決手段】バッテリーターミナル１は、一対の締付板７を有するバッテリーターミナル本体２を備える。また、一方の締付板７ａの上端２６に接触して摺接するテーパ部２４を有する第１締付部１６と他方の締付板７ｂを固定する固定片２８を有する第２締付部１７とを設けボルト４とナット５の締め付けに伴い締付板７を互いに近づく方向に移動させる締付部材３を備える。第１締付部１６は、固定片２８の上端に連続する薄肉連結部１８に連結され薄肉連結部１８の軸方向を一対の締付板７の突出方向と平行に形成し且つ薄肉連結部１８を中心に一方の締付板７ａ側に回動可能に設ける。【選択図】図１
2015046272.tif 000002
【特許請求の範囲】
【請求項１】
所定の間隔をあけて対向し外側に湾曲する一対の湾曲部を備え、該一対の湾曲部によって筒状に形成され、バッテリーポストの周側面に面接触するバッテリーポスト挿入穴を形成してなる環状部と、
前記環状部の一端に連続して形成され、所定の間隔をあけて対向し、近づく方向に移動させると前記バッテリーポスト挿入穴の径を縮径させる一対の締付板と、
前記環状部の他端側に設けられ、電線付きターミナルが装着されるスタッドボルトを備える電気接続部と、
を設けてなるバッテリーターミナル本体と，
前記一対の締付板の上側に取り付けられるものであり、帯板状に形成される天井板部と、該天井板部に連続し何れか一方の締付板の上端に接触して摺接するテーパ部が形成される締付片と、を設ける第１締付部と、
前記一対の締付板の下側に取り付けられるものであり、帯板状に形成される底板部と、該底板部に連続し何れか他方の締付板の側面に接触して固定する固定片と、を設ける第２締付部と、
を設け、前記天井板部と前記底板部にボルトを挿通するボルト挿通穴を形成し、該ボルト挿通穴に前記ボルトを貫通して設けるとともに、該ボルトと該ボルトに螺合するナットの締め付けに伴い前記一対の締付板を互いに近づく方向に移動させる締付部材と，
を備え、
前記第１締付部は、前記固定片の上端に連続し薄肉に形成される薄肉連結部に前記天井板部の一端が連結するとともに、前記薄肉連結部の軸方向を前記一対の締付板の突出方向と平行に形成し、且つ、前記薄肉連結部を中心に前記何れか一方の締付板側に回動可能に設ける
ことを特徴とするバッテリーターミナル。
【請求項２】
請求項１に記載のバッテリーターミナルにおいて、
前記一対の締付板の突出方向先端を外側に屈曲させて形成する片持ち状のストッパーを設ける
ことを特徴とするバッテリーターミナル。
【発明の詳細な説明】
【技術分野】
【０００１】
本発明は、車両等のバッテリーポストに装着固定するバッテリーターミナルに関する。
【背景技術】
【０００２】
従来、バッテリーから突出したバッテリーポストにバッテリーターミナルを取り付ける作業は、バッテリーポストの外周に工具を入れて行われていた。しかし、近年、バッテリーポストの外周には、多くの部品が設置されるため、バッテリーポストの外周に工具を入れるスペースを確保することが難しい問題があった。このため、バッテリーポストの外周に工具を挿入しなくても、バッテリーポストに取り付けることができるバッテリーターミナルが提案されている（例えば、特許文献１及び特許文献２）。
【０００３】
特許文献１のバッテリーターミナル１２１は、図７に示すように、固定部１２３と、一対の締付板１２５と、ボルト１３７と、ナット１４１と、ワッシャー１３９と、一対のスペーサ１４３とを備えている。固定部１２３は、図示しないバッテリー電極が挿入可能な筒状に形成されるとともに、周部を半径方向で分断した締付け間隙１３１が形成されている。一対の締付板１２５は、締付け間隙１３１を挟む固定部１２３の両端に連接し、締付け間隙１３１を挟み対向して形成されている。この締付板１２５には、固定部１２３の軸方向に沿って長穴状に形成されるボルト挿通穴１３５が穿設されている。スペーサ１４３は、多角形状をしており、ボルト１３７を貫通する貫通穴１４５が形成されている。
【０００４】
このような構成のバッテリーターミナル１２１は、スペーサ１４３、一対の締付板１２５、スペーサ１４３、ワッシャー１３９の順に配列して、ボルト１３７を挿通し、ボルト１３７の先端をナット１４１で螺合することで、固定部１２３の締付け間隙１３１を狭め、固定部１２３をバッテリー電極に締付ける。この際、ボルト１３７の頭部１３７ａ側のスペーサ１４３を上方に向けて厚みが徐々に厚くなる傾斜とし、ナット１４１側のスペーサ１４３を下方に向けて厚みが徐々に厚くなる傾斜としているため、ボルト１３７が水平面に対して、右斜め上方に傾き、ナット１４１を締め付ける作業を斜め上方から行うことができる。すなわち、特許文献１のバッテリーターミナル１２１は、バッテリー電極の周囲に十分な作業スペースを設けずに、バッテリーターミナル１２１をバッテリー電極に取り付けることができる。
【０００５】
しかしながら、特許文献１のバッテリーターミナル１２１は、締付板１２５に形成されたボルト挿通穴１３５に挿通されたボルト１３７にナット１４１を螺合して締め付けているため、工具を用いてナット１４１を締め付けても大きな力を掛ける必要があり、ナット１４１の締め付け作業に手間がかかるという問題点を有している。また、バッテリーターミナル１２１は、ナット１４１の締め付け作業を、バッテリーターミナル１２１の斜め上方から行うことになるため、工具の位置が制約を受けナット１４１の締め付け作業における作業性が悪くなるという問題点を有している。
【０００６】
上記問題点に関して、下記特許文献２には、バッテリーターミナル本体と締付手段とを備えるバッテリーターミナルが提案されている。図８において、特許文献２のバッテリーターミナル２００は、バッテリーターミナル本体２０１と、締付手段２０２とを備えて構成されている。
【０００７】
バッテリーターミナル本体２０１は、環状部２０３と、一対の締付板２０４と、電気接続部２０５とを備えている。環状部２０３は、内側に図示しないバッテリーポストを挿入するバッテリーポスト挿入穴２０６を有している。一対の締付板２０４は、環状部２０３の一端に連続して形成され、所定の間隔をあけて対向して配置され、互いに近づく方向に移動させるとバッテリーポスト挿入穴２０６の径を縮径させることができる。
【０００８】
締付手段２０２は、一対の締付板２０４を互いに近づける方向に移動させてバッテリーポスト挿入穴２０６の径を縮径させるために設けられている。締付手段２０２は、上ブラケット２０７と、下ブラケット２０８と、ボルト２０９と、ナット２１０と、を備えている。上ブラケット２０７は、天井板部２１１と、４つの締め付け脚片２１２とを有し、締め付け脚片２１２にはテーパ部２１３が形成されている。また、天井板部２１１には、貫通穴２１４が形成されている。下ブラケット２０８は、底板部２１５と、４つの締め付け脚片２１６とを有し、締め付け脚片２１６にはテーパ部２１７が形成されている。また、底板部２１５の上面には、ボルト２０９が設けられている。
【０００９】
このような構成のバッテリーターミナル２００は、バッテリーポスト挿入穴２０６にバッテリーポストを挿入した後、一対の締付板２０４の上方から上ブラケット２０７を取り付け、一対の締付板２０４の下方から下ブラケット２０８を取り付け、ボルト２０９を上ブラケット２０７の貫通穴２１４に挿通してナット２１０と螺合させる。上ブラケット２０７と下ブラケット２０８とが一対の締付板２０４を締め付けると、上ブラケット２０７のテーパ部２１３が一対の締付板２０４の上端２１８に接触して摺接するとともに、下ブラケット２０８のテーパ部２１７が一対の締付板２０４の下端２１９に接触して摺接することにより一対の締付板２０４が互いに近づく方向に移動する。これに伴い、環状部２０３のバッテリーポスト挿入穴２０６の径が縮径されバッテリーポストを締め付けるようになっている。すなわち、特許文献２のバッテリーターミナル２００は、上部からナット２１０を締め付けることでバッテリーターミナル２００をバッテリーポストに取り付けることができるため、ナット２１０の締め付け作業において工具の位置が制約を受けることがない。
【先行技術文献】
【特許文献】
【００１０】
【特許文献１】特開平１０−２２３２０３号公報
【特許文献２】特開２００５−３０２５０５号公報
【発明の概要】
【発明が解決しようとする課題】
【００１１】
ところで、特許文献２に開示されたバッテリーターミナル２００は、上ブラケット２０７と下ブラケット２０８によって一対の締付板２０４を上下から挟み込むようにして、互いに近づく方向に締め付けるため、工具を用いてナット２１０を締め付けても大きな力を掛ける必要があり、依然としてナット２１０の締め付け作業に手間がかかるという問題点を有している。
【００１２】
本発明は、上記した事情に鑑みてなされたもので、ナットの締め付けに掛かる力を小さくすることができ、バッテリーポストの締め付け作業を簡単にできるバッテリーターミナルを提供することを課題とする。
【課題を解決するための手段】
【００１３】
上記課題を解決するためになされた請求項１記載の本発明のバッテリーターミナルは、所定の間隔をあけて対向し外側に湾曲する一対の湾曲部を備え、該一対の湾曲部によって筒状に形成され、バッテリーポストの周側面に面接触するバッテリーポスト挿入穴を形成してなる環状部と、前記環状部の一端に連続して形成され、所定の間隔をあけて対向し、近づく方向に移動させると前記バッテリーポスト挿入穴の径を縮径させる一対の締付板と、前記環状部の他端側に設けられ、電線付きターミナルが装着されるスタッドボルトを備える電気接続部と、を設けてなるバッテリーターミナル本体と，前記一対の締付板の上側に取り付けられるものであり、帯板状に形成される天井板部と、該天井板部に連続し何れか一方の締付板の上端に接触して摺接するテーパ部が形成される締付片と、を設ける第１締付部と、前記一対の締付板の下側に取り付けられるものであり、帯板状に形成される底板部と、該底板部に連続し何れか他方の締付板の側面に接触して固定する固定片と、を設ける第２締付部と、を設け、前記天井板部と前記底板部にボルトを挿通するボルト挿通穴を形成し、該ボルト挿通穴に前記ボルトを貫通して設けるとともに、該ボルトと該ボルトに螺合するナットの締め付けに伴い前記一対の締付板を互いに近づく方向に移動させる締付部材と，を備え、前記第１締付部は、前記固定片の上端に連続し薄肉に形成される薄肉連結部に前記天井板部の一端が連結するとともに、前記薄肉連結部の軸方向を前記一対の締付板の突出方向と平行に形成し、且つ、前記薄肉連結部を中心に前記何れか一方の締付板側に回動可能に設けることを特徴とする。
【００１４】
このような特徴を有する本発明によれば、他方の締付板を固定片によって固定した状態で、固定片の上端に連続する薄肉連結部を中心として第１締付部を一方の締付板側に押し下げると、第１締付部の締付片に形成されるテーパ部が一方の締付板の上端に接触して摺接する。そして、ボルトにナットを螺合し締め付けていくと、第１締付部は、更に一方の締付板側に押し下げられる。そうすると、一方の締付板は、上端を締付片のテーパ部に摺接されるとともに、他方の締付板は、固定片によって固定されているため、一対の締付板は、互いに近づく方向に移動し、バッテリーポスト挿通穴の径を縮径させバッテリーターミナルはバッテリーポストに装着固定される。
【００１５】
請求項２記載の本発明のバッテリーターミナルは、請求項１に記載のバッテリーターミナルにおいて、前記一対の締付板の突出方向先端を外側に屈曲させて形成する片持ち状のストッパーを設けることを特徴とする。
【００１６】
このような特徴を有する本発明によれば、一対の締付板の突出方向先端にストッパーを形成することにより、締付部材が所定位置に取り付けられ、ボルトとナットによる締め付け開始前や締め付け作業中に締付部材が一対の締付板の突出方向先端部側に外れることはない。
【発明の効果】
【００１７】
請求項１に記載された本発明によれば、他方の締付板が固定片によって固定される部分が支点となる。また、ボルトにナットを螺合し締め付けていくことにより第１締付部を一方の締付板側に押し下げる部分が力点となる。更に、第１締付部を一方の締付板側に押し下げて、締付片のテーパ部が一方の締付板の上端に接触して摺接する部分が作用点となる。そして、第１締付部を一方の締付板側に押し下げると、一方の締付板の上端には、第１締付部を押し下げるのにかかる荷重よりも大きな荷重がかかる。これにより、ボルトとナットの締め付けにおけるナットを締め付ける力を低減できる。したがって、ナットの締め付けに掛かる力を小さくすることができ、バッテリーポストの締め付け作業を簡単にできるバッテリーターミナルを提供するという効果を奏する。
【００１８】
請求項２に記載された本発明によれば、ボルトとナットによる締め付け開始前や締め付け作業中に締付部材が一対の締付板の突出方向先端部側に外れることがなく、バッテリーポストの締め付けを確実に行うことができるバッテリーターミナルを提供することができるという効果を奏する。
【図面の簡単な説明】
【００１９】
【図１】本発明のバッテリーターミナルの一実施形態を示す展開斜視図である。
【図２】図１におけるバッテリーターミナル本体の斜視図である。
【図３】図１における締付部材の斜視図である。
【図４】図１におけるナット締め付け前のバッテリーターミナルの正面図である。
【図５】ナット締め付け時のバッテリーターミナルの正面図である。
【図６】ナット締め付け完了時のバッテリーターミナル正面図である。
【図７】従来例１のバッテリーターミナルの展開斜視図である。
【図８】従来例２のバッテリーターミナルの展開斜視図である。
【発明を実施するための形態】
【００２０】
以下、図１−６を参照しながら説明する。図１はバッテリーターミナルの一実施形態を示す展開斜視図、図２は図１におけるバッテリーターミナル本体の斜視図、図３は図１における締付部材の斜視図、図４は図１におけるナット締め付け前のバッテリーターミナルの正面図、図５は図４に続く図であってナット締め付け時のバッテリーターミナルの正面図、図６は図５に続く図であってナット締め付け完了時のバッテリーターミナル正面図である。
【００２１】
図１において、引用符号１は、バッテリーターミナルを示している。バッテリーターミナル１は、バッテリーターミナル本体２と、締付部材３と、ボルト４と、ナット５とを備えて構成されている。まず、バッテリーターミナル１の上記各構成について説明する。
【００２２】
図１及び図２において、バッテリーターミナル本体２は、導電性の金属板をプレス加工することにより形成されている。バッテリーターミナル本体２は、環状部６と、一対の締付板７と、電気接続部８とを有して、図示のような形状に形成されている（形状は一例であるものとする）。なお、バッテリーターミナル本体２において、一対の締付板７が設けられる側を先端と、また、電気接続部８が設けられる側を後端と、それぞれ、定義するものとする。
【００２３】
環状部６は、一対の湾曲部９によって形成されている。一対の湾曲部９は、帯板状に形成され所定の間隔をあけて対向して配置されている。一対の湾曲部９は、バッテリーターミナル本体２の外側に湾曲するように形成されている。一対の湾曲部９は、先端が環状部６の一端となっており、また、後端が環状部６の他端となっている。一対の湾曲部９は、先端側及び後端側が分断されたような略円筒状に形成され、内側は、図示しないバッテリーポストの周側面に面接触するバッテリーポスト挿入穴１０として形成されている。
【００２４】
一対の締付板７は、環状部６の一端に連続して帯板状に形成されている。一対の締付板７は、一方の締付板７ａと他方の締付板７ｂとが所定の間隔をあけて対向して配置されている。一対の締付板７は、互いに近づく方向に移動させるとバッテリーポスト挿入穴１０の径を縮径させるように形成されている。一対の締付板７は、突出方向先端がバッテリーターミナル本体２の外側に略Ｌ字形に屈曲し片持ち状のストッパー１１として形成されている。ストッパー１１における屈曲する部分は、略円弧状の円弧部１２として形成されている。
【００２５】
電気接続部８は、図示しない電線付きターミナルとバッテリーポストとを電気的に接続するために設けられている。電気接続部８は、一対の側壁１３と、スタッドボルト１４と、平面部１５とを備えて構成されている。
【００２６】
一対の側壁１３は、環状部６の他端に連続して帯板状に形成されている。一対の側壁１３は、所定の間隔をあけて対向して配置されている。
【００２７】
スタッドボルト１４は、電線付きターミナルを装着するために設けられている。スタッドボルト１４に、電線付きターミナルを装着することにより、電線付きターミナルとバッテリーポストとの電気的な接続がなされている。本実施例において、スタッドボルト１４の先端位置の高さは、バッテリーポストの周辺に設けられている他の部品に干渉しないような高さに形成されている（スタッドボルト１４の先端位置の高さは一例であるものとする）。
【００２８】
平面部１５は、一対の側壁１３の上端に連続し、一対の側壁１３に架橋するように形成されている。本実施例において、平面部１５の上面略中央部には、スタッドボルト１４が上方に向けて突設されている。スタッドボルト１４は、特に限定するものではないが、例えば平面部１５に貫通穴を形成し平面部１５の下面側から貫通穴にボルトを挿通させる構成となっている。その他、平面部１５と一体的に形成されるようにしても良いものとする。
【００２９】
図１及び図３において、締付部材３は、導電性の金属板をプレス加工することにより形成されている。締付部材３は、第１締付部１６と、第２締付部１７と、薄肉連結部１８とを備えて構成され、一対の締付板７を上下から挟むことができるように形成されている。なお、締付部材３において、薄肉連結部１８が形成される側を先端と、また、この先端に対する他端を後端と、それぞれ、定義するものとする。
【００３０】
第１締付部１６は、天井板部１９と、締付片２０とを有している。天井板部１９は、所定の厚さを持った帯板状に形成されている。天井板部１９は、幅狭部２１と、幅広部２２とを有している。幅狭部２１は、天井板部１９の先端側において、幅が狭くなるように形成されている。幅狭部２１は、先端が天井板部１９の一端となっている。幅広部２２は、幅狭部２１の後端に連続して形成されている。幅広部２２は、バッテリーターミナル本体２の後端側に向かって幅狭部２１よりも幅が拡がるように形成されている。幅広部２２には、第１ボルト挿通穴２３が貫通形成されている。第１ボルト挿通穴２３は、ボルト４が挿通可能な幅の長穴状に形成されている。第１ボルト挿通穴２３は、穴の長径が締付部材３の長手方向に沿って形成されている。
【００３１】
締付片２０は、天井板部１９における、バッテリーターミナル本体２の後端側の側縁下端に連続して帯板状に形成されている。締付片２０は、幅狭部２１と幅広部２２に亘って形成されている。締付片２０は、先端にテーパ部２４と、ストレート部２５とが形成されている。テーパ部２４は、締付部材３の後端側から先端側に向かって傾斜し、一方の締付板７ａの上端２６に接触して摺接するように形成されている。ストレート部２５は、テーパ部２４に連続して締付片２０の基端側に形成されている。ストレート部２５は、第２締付部１７側に向かって締付部材３の長手方向に直交するように形成されている。すなわち、ストレート部２５は、一対の締付板７の突出方向に対して平行に形成されている。ストレート部２５は、一方の締付板７ａの側面３６に接触するように形成されている。なお、テーパ部２４及びストレート部２５は、第１ボルト挿通穴２３に挿通された状態のボルト４の軸方向に水平に直交する位置に配置されている。
【００３２】
第２締付部１７は、底板部２７と、固定片２８とを有している。底板部２７は、所定の厚さを持った帯板状に形成されている。底板部２７は、幅狭部２９と、幅広部３０とを有している。幅狭部２９は、底板部２７の先端側において、幅が狭くなるように形成されている。幅広部３０は、幅狭部２９の後端に連続して形成されている。幅広部３０は、バッテリーターミナル本体２の後端側に向かって幅狭部２９よりも幅が拡がるように形成されている。幅広部３０には、第２ボルト挿通穴３１が貫通形成されている。第２ボルト挿通穴３１は、ボルト４が挿通可能な幅の略円形に形成されている。第２ボルト挿通穴３１は、ボルト４を挿通したとき、第１ボルト挿通穴２３にも挿通可能な配置になるように形成されている。第２ボルト挿通穴３１は、ボルト４を第１ボルト挿通穴２３及び第２ボルト挿通穴３１に挿通した状態でボルト４の軸方向が締付部材３の長手方向に直交するような配置に形成されている。
【００３３】
固定片２８は、底板部２７の幅狭部２９の先端側において、バッテリーターミナル本体２の後端側の側縁上端に連続して帯板状に形成されている。固定片２８は、締付板固定部３２と、先端部３３とを有している。
【００３４】
締付板固定部３２は、固定片２８の基端側に形成されている。締付板固定部３２は、底板部２７に対して略垂直に形成されている。締付板固定部３２には、締付板挿通穴３４が形成されている。締付板挿通穴３４は、他方の締付板７ｂが挿通可能な高さ及び幅の長方形に形成されている（なお、一対の締付板７の先端側には円弧部１２が形成されているため、先端にストッパー１１が形成されていても、他方の締付板７ｂをスムーズに締付板挿通穴３４に挿通することができる）。締付板挿通穴３４は、内側に一対のストレート部３５が対向して形成されている。一対のストレート部３５は、第１締付部１６側に向かって締付部材３の長手方向に直交するように形成されている。すなわち、一対のストレート部３５は、一対の締付板７の突出方向に対して平行に形成されている。締付部材３の先端側のストレート部３５は、他方の締付板７ｂの側面３６（図２参照）に接触するように形成されている。
【００３５】
先端部３３は、固定片２８の先端側に形成されている。また、先端部３３は、バッテリーターミナル本体２の先端側に向かって略Ｌ字状に屈曲して形成されている。先端部３３は、底板部２７と所定の間隔をあけて対向している。先端部３３の後端は、固定片２８の上端となっている。
【００３６】
薄肉連結部１８は、天井板部１９の一端に連続するとともに、固定片２８の上端に連続して形成されている。より詳しく説明すると、薄肉連結部１８は、幅狭部２１の上面先端と、先端部３２の上面後端とを繋ぐ、所定の厚さを持った薄肉の帯板状に形成されている。薄肉連結部１８は、軸方向が一対の締付板７の突出方向と平行に形成されている。薄肉連結部１８は、第１締付部１６及び第２締付部１７よりも軟らかく形成されているため、薄肉連結部１８を中心として第１締付部１６を上下方向に回動することができるように形成されている。
【００３７】
図１において、ボルト４及びナット５は、締付部材３を締め付けるために備えられている。ボルト４は、締付部材３の下側から第２ボルト挿通穴３１に挿通され、第１ボルト挿通穴２３及び第２ボルト挿通穴３１を貫通した状態で設けられるようになる。ナット５は、ボルト４の先端に螺合されるようになる。本実施例において、ボルト４の先端位置の高さは、ボルト４が締付部材３に設けられた状態で、バッテリーポストの周辺に設けられている他の部品に干渉しないような高さに形成されている（ボルト４の先端位置の高さは一例であるものとする）。
【００３８】
つづいて、図４−６に基づいて、本発明のバッテリーターミナル１をバッテリーポストに組み付ける方法について説明する。なお、図４−６は、スタッドボルト１４を図示しないものとする。
まず、バッテリーポスト挿通穴１０にバッテリーポストを挿通する。その後、図４において、締付部材３の第１締付部１６を上側に上げた状態にし、バッテリーターミナル本体２の他方の締付板７ｂを締付板挿通穴３４に挿通する。そうすると、他方の締付板７ｂは、固定片２８の締付板固定部３２に取り付けられ固定された状態になる。また、締付部材３は、ストッパー１１により、一対の締付板７の突出方向先端側への移動が規制され、脱落が防止される。そして、ボルト４を底板部２７の下側から第２ボルト挿通穴３１に挿通して設ける。第１締付部１６を図４に示す矢印方向に押し下げると、第１締付部１６は、薄肉連結部１８を中心にバッテリーターミナル本体２の一方の締付板７ａ側に回動する。
【００３９】
図５において、第１締付部１６を第２締付部１７側に押し下げていくと、ボルト４の先端が天井板部１９の下側から第１ボルト挿通穴２３の後端側に挿通される。その後、ボルト４の先端にナット５を螺合し締め付けていくと、第１締付部１６は、図５に示す矢印方向に引き続き押し下げられる。そして、締付片２０のテーパ部２４は、一方の締付板７ａの上端２６に接触し摺接を開始する。
【００４０】
引き続きナット５を締め付けていくと、更に第１締付部１６が第２締付部１７側に押し下げられる。この第１締付部１６の回動に伴い、第１ボルト挿通穴２３の後端側に挿通されたボルト４は相対的に第１ボルト挿通穴２３内を第１ボルト挿通穴２３の先端側へと通過する。そして、テーパ部２４が一方の締付板７ａの上端２６に摺接していくとともに、他方の締付板７ｂの側面３６（図２参照）が締付板挿通穴３４のストレート部３５（図３参照）に接触し固定される。これに伴い、一方の締付板７ａと他方の締付板７ｂとが互いに近づく方向に移動し、バッテリーポスト挿通穴１０の径が縮径されバッテリーポストを締め付けるようになる。
【００４１】
図６において、更にナット５を締め付けていき、第１締付部１６を第２締付部１７と平行に対向する位置まで押し下げると一方の締付板７ａの上端２６に対するテーパ部２４（図４及び図５参照）の摺接が終了する。その後、テーパ部２４に連続するストレート部２５が一方の締付板７ａの側面３６（図２参照）を押さえ付ける。これにより、一方の締付板７ａがバッテリーターミナル本体２の外側方向へ復帰しようとする動きが規制される。これにより、一方の締付板７ａと他方の締付板７ｂとが図６に示す位置まで締め付けられ、バッテリーポスト挿通穴１０の内側がバッテリーポストの周側面に対して圧接状態になる。以上で本発明のバッテリーターミナル１のバッテリーポストへの取り付けが完了する。
【００４２】
以上、図１−６を参照しながら説明してきたように、本発明のバッテリーターミナル１によれば、他方の締付板７ｂを固定片２８によって固定した状態で、固定片２８の上端に連続する薄肉連結部１８を中心として第１締付部１６を一方の締付板７ａ側に押し下げると、第１締付部１６の締付片２０に形成されるテーパ部２４が一方の締付板７ａの上端２６に接触して摺接する。そして、ボルト４にナット５を螺合し締め付けていくと、第１締付部１６は、更に一方の締付板７ａ側に押し下げられる。そうすると、一方の締付板７ａは、上端２６を締付片２０のテーパ部２４に摺接されるとともに、他方の締付板７ｂは、固定片２８によって固定されているため、一対の締付板７は、互いに近づく方向に移動し、バッテリーポスト挿通穴１０の径を縮径させバッテリーターミナル１はバッテリーポストに装着固定される。
【００４３】
また、本発明のバッテリーターミナル１によれば、一対の締付板７の突出方向先端にストッパー１１を形成することにより、締付部材３が所定位置に取り付けられ、ボルト４とナット５による締め付け開始前や締め付け作業中に締付部材３が一対の締付板７の突出方向先端部側に外れることはない。
【００４４】
このような本発明のバッテリーターミナル１によれば、他方の締付板７ｂが固定片２８によって固定される部分が支点となる。また、ボルト４にナット５を螺合し締め付けていくことにより第１締付部１６を一方の締付板７ａ側に押し下げる部分が力点となる。さらに、第１締付部１６を一方の締付板７ａ側に押し下げて締付片２０のテーパ部２４が一方の締付板７ａの上端２６に接触して摺接する部分が作用点となる。そして、第１締付部１６を一方の締付板７ａ側に押し下げると、一方の締付板７ａの上端２６には、第１締付部１６を押し下げるのにかかる荷重よりも大きな荷重がかかる。これにより、ボルト４とナット５を締め付ける際のナット５を締め付ける力を低減できる。
【００４５】
これに対して、図７に示す従来のバッテリーターミナル１２１は、締付板１２５に形成されたボルト挿通穴１３５に挿通されたボルト１３７にナット１４１を螺合して締め付けている。したがって、バッテリーターミナル１２１は、ボルト１３７とナット１４１を締め付けるのに本発明のバッテリーターミナル１と比較して、より大きな力を必要とすることになる。
【００４６】
また、図８に示す従来のバッテリーターミナル２００は、上ブラケット２０７と下ブラケット２０８によって一対の締付板２０４を上下から挟み込むようにして、互いに近づく方向に締め付けている。したがって、バッテリーターミナル２００は、ボルト２０９とナット２１０を締め付けるのに本発明のバッテリーターミナル１と比較して、より大きな力を必要とすることになる。
【００４７】
以上からも分かるように、本発明のバッテリーターミナル１によれば、ナット５の締め付けに掛かる力を小さくすることができ、バッテリーポストの締め付け作業を簡単にできるバッテリーターミナル１を提供することができる。
【００４８】
また、本発明のバッテリーターミナル１によれば、ボルト４とナット５の締め付け開始前や締め付け作業中に締付部材３が一対の締付板７の突出方向先端部側に外れることがなく、バッテリーポストの締め付けを確実に行うことができるバッテリーターミナル１を提供することができる。
【００４９】
この他、本発明は本発明の主旨を変えない範囲で種々変更実施可能なことは勿論である。
【符号の説明】
【００５０】
１…バッテリーターミナル、  ２…バッテリーターミナル本体、  ３…締付部材、  ４…ボルト、  ５…ナット、  ６…環状部、  ７…締付板、  ７ａ…一方の締付板、  ７ｂ…他方の締付板、  ８…電気接続部、  ９…湾曲部、  １０…バッテリーポスト挿通穴、  １１…ストッパー、  １２…円弧部、  １３…側壁、  １４…スタッドボルト、  １５…平面部、  １６…第１締付部、  １７…第２締付部、  １８…薄肉連結部、  １９…天井板部、  ２０…締付片、  ２１，２９…幅狭部、  ２２，３０…幅広部、  ２３…第１ボルト挿通穴（ボルト挿通穴）、  ２４…テーパ部、  ２５，３５…ストレート部、  ２６…上端、  ２７…底板部、  ２８…固定片、  ３１…第２ボルト挿通穴（ボルト挿通穴）、  ３２…締付板固定部、  ３３…先端部、  ３４…締付板挿通穴  ３６…側面
【図１】
2015046272.tif 000003
【図２】
2015046272.tif 000004
【図３】
2015046272.tif 000005
【図４】
2015046272.tif 000006
【図５】
2015046272.tif 000007
【図６】
2015046272.tif 000008
【図７】
2015046272.tif 000009
【図８】
2015046272.tif 000010